(57)【要約】【課題】大きな衝撃音を発生させる。【解決手段】コネクタ１は、第１ハウジング１０と、第１ハウジング１０と嵌合可能な第２ハウジング３０と、第１ハウジング１０に設けられ、両ハウジング１０，３０の嵌合過程では弾性変位し、両ハウジング１０，３０が正規嵌合するのに伴って弾性復帰するロックアーム１２と、壁部（側面壁２２、上面壁２３、前面壁２４、下面壁２５）で囲まれた共鳴空間２１を有し、弾性復帰するロックアーム１２を衝突させることにより壁部（側面壁２２、上面壁２３、前面壁２４、下面壁２５）を振動させて衝撃音を生じさせる発振部２０と、壁部の一部を構成する高剛性部２６と、壁部の一部を構成し、高剛性部２６よりも剛性の低い低剛性部２７とを備える。【選択図】図２
2013125741.tif 000002
【特許請求の範囲】
【請求項１】
第１ハウジングと、
前記第１ハウジングと嵌合可能な第２ハウジングと、
前記第１ハウジングに設けられ、前記第１ハウジングと前記第２ハウジングの嵌合過程では弾性変位し、前記第１ハウジングと前記第２ハウジングが正規嵌合するのに伴って弾性復帰するロックアームと、
壁部で囲まれた共鳴空間を有し、弾性復帰する前記ロックアームを衝突させることにより前記壁部を振動させて衝撃音を生じさせる発振部と、
前記壁部の一部を構成する高剛性部と、
前記壁部の一部を構成し、前記高剛性部よりも剛性の低い低剛性部とを備えていることを特徴とするコネクタ。
【請求項２】
前記低剛性部は、前記発振部のうち前記ロックアームが衝突する領域に配されていることを特徴とする請求項１記載のコネクタ。
【請求項３】
前記発振部は、両端部が前記第１ハウジングに繋がっていて前記ロックアームをブリッジ状に跨ぐ形態であり、
前記高剛性部は、前記発振部の一方の前記端部から他方の前記端部に亘って連続していることを特徴とする請求項１又は請求項２記載のコネクタ。
【請求項４】
前記発振部には、前記高剛性部と前記低剛性部との境界に沿ったスリットが形成されていることを特徴とする請求項１ないし請求項３のいずれか１項に記載のコネクタ。
【発明の詳細な説明】
【技術分野】
【０００１】
本発明は、コネクタに関するものである。
【背景技術】
【０００２】
特許文献１には、２つのハウジングが正規嵌合したときに打撃音を生じさせるコネクタが開示されている。このコネクタは、雌側ハウジングにロックアームを設け、雄側ハウジングのフード部に発振部を設けている。発振部は、壁部で囲まれた共鳴空間を有する。両ハウジングの嵌合過程では、弾性変位したロックアームに弾性エネルギーが蓄えられ、両ハウジングが正規嵌合すると、ロックアームが弾性復帰して発振部に衝突し、発振部を構成する壁部が振動することによって生じた打撃音が、共鳴空間で増幅されるようになっている。
【先行技術文献】
【特許文献】
【０００３】
【特許文献１】特開２００５−１５８４１７号公報
【発明の概要】
【発明が解決しようとする課題】
【０００４】
上記のコネクタでは、共鳴空間を構成する壁部が、その全領域に亘ってほぼ同じ厚さであり、全領域に亘ってほぼ同じ剛性を有する。そのため、打撃音が発生するときには、ロックアームの弾性エネルギーが壁部の全体に分散されて、壁部の振幅が小さくなり、衝撃音が小さくなる。
本発明は上記のような事情に基づいて完成されたものであって、大きな衝撃音を発生させることを目的とする。
【課題を解決するための手段】
【０００５】
上記の目的を達成するための手段として、請求項１の発明は、第１ハウジングと、前記第１ハウジングと嵌合可能な第２ハウジングと、前記第１ハウジングに設けられ、前記第１ハウジングと前記第２ハウジングの嵌合過程では弾性変位し、前記第１ハウジングと前記第２ハウジングが正規嵌合するのに伴って弾性復帰するロックアームと、壁部で囲まれた共鳴空間を有し、弾性復帰する前記ロックアームを衝突させることにより前記壁部を振動させて衝撃音を生じさせる発振部と、前記壁部の一部を構成する高剛性部と、前記壁部の一部を構成し、前記高剛性部よりも剛性の低い低剛性部とを備えているところに特徴を有する。
【０００６】
請求項２の発明は、請求項１に記載のものにおいて、前記低剛性部は、前記発振部のうち前記ロックアームが衝突する領域に配されているところに特徴を有する。
【０００７】
請求項３の発明は、請求項１または請求項２に記載のものにおいて、前記発振部は、両端部が前記第１ハウジングに繋がっていて前記ロックアームをブリッジ状に跨ぐ形態であり、前記高剛性部は、前記発振部の一方の前記端部から他方の前記端部に亘って連続しているところに特徴を有する。
【０００８】
請求項４の発明は、請求項１ないし請求項３のいずれかに記載のものにおいて、前記発振部には、前記高剛性部と前記低剛性部との境界に沿ったスリットが形成されているところに特徴を有する。
【発明の効果】
【０００９】
＜請求項１の発明＞
ロックアームが発振部に衝突すると、ロックアームに蓄えられていた弾性エネルギーは、壁部の一部である低剛性部に集中し、低剛性部は大きな振幅で振動する。したがって、ロックアームに蓄えられていた弾性エネルギーが壁部の全体に分散する場合に比べると、大きな衝撃音が発生する。
【００１０】
＜請求項２の発明＞
ロックアームは、低剛性部に直接、衝突するので、ロックアームから低剛性部に伝わるエネルギーのロスが低減される。
【００１１】
＜請求項３の発明＞
発振部を構成する高剛性部は、両端部が第１ハウジングに繋がっているので、発振部は不正な変形を生じ難く、ロックアームを異物干渉等から確実に保護することができる。
【００１２】
＜請求項４の発明＞
高剛性部と低剛性部との境界に沿ったスリットを設けたことにより、低剛性部が振動し易くなる。
【図面の簡単な説明】
【００１３】
【図１】実施形態１のコネクタにおいて第１ハウジングと第２ハウジングが正規嵌合した状態をあらわす平面図
【図２】図１のＡ−Ａ線断面図
【図３】第１ハウジングの平面図
【図４】図３のＢ−Ｂ線断面図
【図５】第１ハウジングの背面図
【図６】第２ハウジングの断面図
【図７】実施形態２のコネクタにおいて第１ハウジングと第２ハウジングが正規嵌合した状態をあらわす平面図
【図８】図７のＣ−Ｃ線断面図
【図９】第２ハウジングの正面図
【図１０】第１ハウジングの背面図
【図１１】実施形態３のコネクタにおける第２ハウジングの正面図
【図１２】図１１のＤ−Ｄ線部分拡大断面図
【図１３】実施形態４のコネクタにおいて第１ハウジングと第２ハウジングが正規嵌合した状態の断面図
【発明を実施するための形態】
【００１４】
＜実施形態１＞
以下、本発明を具体化した実施形態１を図１〜図６を参照して説明する。図１，２に示すように、本実施形態のコネクタ１は、第１ハウジング１０と、第２ハウジング３０とを備えて構成されている。第１ハウジング１０と第２ハウジング３０は、夫々の前端同士を対向させた状態で接近させることで、嵌合されるようになっている。
【００１５】
第１ハウジング１０は、合成樹脂製であり、内部には周知の形態の雌形をなす第１端子金具（図示省略）が挿入されている。したがって、第１ハウジング１０は雌側ハウジングと称される。図４，５に示すように、第１ハウジング１０の上面（外面）には、幅方向における略中央部を凹ませた形態であって、第１ハウジング１０の前後両端面に開放された収容凹部１１が形成されている。収容凹部１１内には、ロックアーム１２が、第１ハウジング１０の上面（収容凹部１１の底面）に沿うように収容されている。
【００１６】
図４に示すように、ロックアーム１２は、全体として前後方向（第１ハウジング１０と第２ハウジング３０の嵌合方向と平行な方向）に延びる本体部１３と、本体部１３の前端部に形成された揺動支点部１４と、本体部１３の後端部に形成された操作部１５とを備えて構成されている。揺動支点部１４は第１ハウジング１０の外面に連なっている。したがって、ロックアーム１２は第１ハウジング１０に一体に形成され、揺動支点部１４から後方へ片持ち状に延出した形態である。また、操作部１５はロックアーム１２の延出端部に配置されていることになる。本体部１３の上面には、ロック突起１６が形成されている。
【００１７】
ロックアーム１２は、常には（両ハウジング１０，３０が未嵌合の状態では）、揺動支点部１４の剛性によりロック位置（図２を参照）に保持される。また、ロックアーム１２は、揺動支点部１４を支点として姿勢を傾けながら下方（両ハウジング１０，３０の嵌合方向と交差する方向であって、第１ハウジング１０の外面に本体部１３と操作部１５を接近させる方向）のロック解除位置へ弾性撓みし得るようになっている。
【００１８】
図４に示すように、操作部１５の上面は、作業者がロックアーム１２をロック位置からロック解除位置へ弾性変位させるための押し操作を行うための押し操作面１７となっている。押し操作面１７のうち前端側領域は、打撃面１８となっている。ロックアーム１２がロック位置にある状態では、打撃面１８は、両ハウジング１０，３０の嵌合方向と平行であり、且つロックアーム１２がロック解除位置からロック位置へ弾性復帰するときのロック位置に到達する直前の変位方向（上向き）と略直角をなす。打撃面１８は、両ハウジング１０，３０が正規嵌合したことを作業者に知らせる嵌合検知手段として機能する。
【００１９】
図４，５に示すように、第１ハウジング１０には、発振部２０が一体に形成されている。発振部２０は、共鳴空間２１を有し、両ハウジング１０，３０の正規嵌合に伴ってロックアーム１２が弾性復帰したときに、打撃面１８を衝突させることにより衝撃音を生じさせるとともに、その衝撃音を共鳴空間２１で増幅させるようになっている。この衝撃音の発生により、作業者は、両ハウジング１０，３０が正規嵌合されたことを検知することができる。
【００２０】
図４，５に示すように、発振部２０は、左右両端部が収容空間の内側面における上端部に繋がる左右一対の側面壁２２（本発明の構成要件である壁部）と、左右両側面壁２２の上端縁に略直角に繋がる上面壁２３（本発明の構成要件である壁部）と、左右両側面壁２２の前端縁と上面壁２３の前端縁とに略直角に繋がる前面壁２４（本発明の構成要件である壁部）と、左右両側面壁２２の下端縁と前面壁２４の下端縁とに略直角に繋がる下面壁２５（本発明の構成要件である壁部）とから構成されている。そして、この左右両側面壁２２と上面壁２３と前面壁２４と下面壁２５とによって囲まれた空間が、共鳴空間２１となっている。共鳴空間２１は、発振部２０の後面側のみに開放されている。
【００２１】
図４，５に示すように、発振部２０（共鳴空間２１）を構成する複数の壁部のうち、側面壁２２と上面壁２３と前面壁２４は、比較的壁厚寸法の大きい高剛性部２６となっている。また、残りの壁部である下面壁２５は、高剛性部２６よりも壁厚寸法が小さくて剛性の低い低剛性部２７となっている。低剛性部２７は高剛性部２６に比べて振動（弾性変形）し易くなっている。また、低剛性部２７は、発振部２０のうち打撃面１８が衝突する領域に配置されている。換言すると、発振部２０のうちを打撃面１８が衝突する領域のほぼ全体が、低剛性部２７（下面壁２５）となっている。
【００２２】
上記のように、発振部２０は、その幅方向における両端部（左右両端部）が収容空間の左右両内側面の上端部に繋がっており、ロックアーム１２をブリッジ状に跨いだ形態である。前後方向における発振部２０の形成領域は、ロックアーム１２のうち操作部１５の前端側領域と対応する領域、即ち打撃面１８と対応する領域となっている。したがって、押し操作面１７における後端側領域（打撃面１８よりも後方の領域）は、発振部２０よりも後方へ露出しているので、ロック解除操作が可能である。
【００２３】
上記形態の発振部２０は、他部材が操作部１５と不用意に干渉してロックアーム１２がロック解除方向へ弾性変位させられるのを規制するための保護部としての機能を兼ね備える。収容凹部１１の内側面とロックアーム１２の外側面との間に電線（図示省略）等の異物が噛み込むの規制する機能や、ロックアーム１２の下面と第１ハウジング１０の上面との間に入り込んだ電線等の異物によってロックアーム１２がロック解除方向とは反対方向へ不正に変位させられるのを規制する機能も兼ね備える。
【００２４】
そして、高剛性部２６は、発振部２０のうち収容凹部１１の左側の内壁面に繋がる左側の端部から、収容凹部１１の右側の内壁面に繋がる右側の端部に亘って連続している。このように、発振部２０を構成する高剛性部２６は、その両端部において第１ハウジング１０に繋がっているので、発振部２０が不正な変形を生じ難い。したがって、ロックアーム１２を異物干渉等から確実に保護することができる。
【００２５】
第２ハウジング３０は、合成樹脂製であり、図６に示すように、端子保持部３１と、端子保持部３１から前方（両ハウジング１０，３０の嵌合時に第１ハウジング１０に接近する方向）へ角筒状に突出するフード部３２とを有する。端子保持部３１には、周知の形態の雄形をなす複数の第２端子金具（図示省略）が保持され、第２端子金具の先端のタブがフード部３２によって包囲されている。フード部３２を構成する上壁部には、下方（フード部３２の内側）へ突出する係止突起３３が形成されている。
【００２６】
次に、本実施形態１の作用を説明する。両ハウジング１０，３０の嵌合を開始して第１ハウジング１０をフード部３２内に進入させると、ロック突起１６が係止突起３３と干渉するので、ロックアーム１２がロック位置からロック解除位置へ弾性変位する。このとき、ロックアーム１２には、弾性復元力（弾性エネルギー）が蓄えられる。そして、両ハウジング１０，３０が正規の嵌合状態に到達すると、ロック突起１６が係止突起３３を通過するので、ロックアーム１２が、蓄えられた弾性復元力によりロック解除位置からロック位置へ弾性復帰する。
【００２７】
両ハウジング１０，３０が正規嵌合してロックアーム１２が弾性復帰すると、操作部１５の打撃面１８が発振部２０の低剛性部２７（下面壁２５）に、直接、衝突し、低剛性部２７が振動して打撃音が発生する。発生した打撃音は、低剛性部２７が直接臨む共鳴空間２１において増幅される。また、ロックアーム１２が弾性復帰すると、ロック突起１６と係止突起３３が係止し、この係止作用により、両ハウジング１０，３０が正規の嵌合状態にロックされる。
【００２８】
本実施形態のコネクタ１は、第１ハウジング１０に設けられ、両ハウジング１０，３０の嵌合過程では弾性変位し、両ハウジング１０，３０が正規嵌合するのに伴って弾性復帰するロックアーム１２と、壁部（側面壁２２、上面壁２３、前面壁２４、下面壁２５）で囲まれた形態の共鳴空間２１を有し、弾性復帰するロックアーム１２を衝突させることにより壁部を振動させて衝撃音を生じさせる発振部２０と、壁部の一部を構成する高剛性部２６と、壁部の一部を構成し、高剛性部２６よりも剛性の低い低剛性部２７とを備えている。
【００２９】
この構成によれば、ロックアーム１２が発振部２０に衝突すると、ロックアーム１２に蓄えられていた弾性エネルギーは、壁部の一部である低剛性部２７に集中し、低剛性部２７は大きな振幅で振動する。したがって、ロックアーム１２に蓄えられていた弾性エネルギーが壁部の全体に分散する場合に比べると、大きな衝撃音が発生する。しかも、低剛性部２７は、発振部２０のうちロックアーム１２が、直接、衝突する領域に配されているので、ロックアーム１２から低剛性部２７に伝わるエネルギーのロスが低減されている。
【００３０】
＜実施形態２＞
次に、本発明を具体化した実施形態２を図７〜図１０を参照して説明する。本実施形態２のコネクタ２は、発振部５１を上記実施形態１とは異なる構成としたものである。その他の構成については上記実施形態１と同じであるため、同じ構成については、同一符号を付し、構造、作用及び効果の説明は省略する。
【００３１】
上記実施形態１のコネクタ１では、第１ハウジング１０に発振部２０が形成されていたのに対し、本実施形態２のコネクタ２では、発振部５１が第２ハウジング５０に形成されている。したがって、第１ハウジング４０には発振部は設けられていない。図８，９に示すように、発振部５１は、箱状をなし、フード部３２の上壁部から前方へ片持ち状に延出した形態である。図７，８に示すように、発振部５１とフード部３２を繋ぐ部分は、幅方向に細長い肉薄のヒンジ状基端部５２となっている。したがって、発振部５１は、ヒンジ状基端部５２を介して上壁部（フード部３２）に連なっており、ヒンジ状基端部５２から片持ち状に延出した形態である。発振部５１は、ヒンジ状基端部５２を支点として上下方向に振動（弾性撓み）し得るようになっている。
【００３２】
図８，９に示すように、発振部５１は、左右一対の側面壁５３（本発明の構成要件である壁部）と、左右両側面壁５３の上端縁に略直角に繋がる上面壁５４（本発明の構成要件である壁部）と、左右両側面壁５３の後端縁と上面壁５４の後端縁とに略直角に繋がる後面壁５５（本発明の構成要件である壁部）と、左右両側面壁５３の下端縁と後面壁５５の下端縁とに略直角に繋がる下面壁５６（本発明の構成要件である壁部）とから構成されている。そして、この左右両側面壁５３と上面壁５４と後面壁５５と下面壁５６とによって囲まれた空間が、共鳴空間５７となっている。共鳴空間５７は、発振部５１の前面側のみに開放されている。
【００３３】
図８に示すように、上記のヒンジ状基端部５２は、後面壁５５の下端縁部に繋がっている。前後方向における発振部５１の形成領域は、両ハウジング４０，５０が正規嵌合した状態で、ロックアーム１２のうち操作部１５の前端側領域と対応する領域、即ち打撃面１８と対応する領域である。したがって、第１ハウジング４０を基準とする前後方向においては、押し操作面１７における後端側領域（打撃面１８よりも後方の領域）は、発振部５１よりも後方へ露出するので、ロック解除操作が可能である。
【００３４】
図９に示すように、発振部５１（共鳴空間５７）を構成する複数の壁部（側面壁５３、上面壁５４、後面壁５５、下面壁５６）のうち、側面壁５３と上面壁５４と後面壁５５は、比較的壁厚寸法の大きい高剛性部５８となっている。また、残りの壁部である下面壁５６は、高剛性部５８よりも壁厚寸法が小さくて剛性の低い低剛性部５９となっている。低剛性部５９は高剛性部５８に比べて振動（弾性変形）し易くなっている。また、低剛性部５９は、発振部５１のうち打撃面１８が衝突する領域に配置されている。換言すると、発振部５１のうち打撃面１８が衝突する領域のほぼ全体が、低剛性部５９（下面壁５６）となっている。
【００３５】
図７，８に示すように、ヒンジ状基端部５２は、前後方向において、フード部３２（上壁部）の最前端（開口端）よりも少し後方の位置において、係止突起３３の前端に連なるように配置されている。発振部５１の前端は、フード部３２の最前端よりも、更に前方へ突出している。したがって、図７に示すように、フード部３２の最前端からヒンジ状基端部５２までの間の領域には、上壁部に対して発振部５１が相対変位（振動）するのを許容するための左右一対のスリットが形成されている。
【００３６】
両ハウジング４０，５２が正規嵌合した状態における、発振部５１、ヒンジ状基端部５２及び打撃面１８の位置関係等を説明する。尚、前後の方向については、第１ハウジング４０を基準とするので、発振部５１とヒンジ状基端部５２については、前後の向き（表記）が上記とは逆となる。図８に示すように、前後方向において、発振部５１の長さ寸法は押し操作面１７よりも短い。押し操作面１７の前端は、ヒンジ状基端部５２の近傍に位置し、押し操作面１７の後端は、発振部５１の突出端よりも後方に位置する。
【００３７】
両ハウジング４０，５０が正規嵌合し、ロックアーム１２が、蓄えられた弾性復元力によりロック解除位置からロック位置へ弾性復帰すると、操作部１５の打撃面１８が発振部５１の下面（低剛性部５９）に、直接、衝突し、打撃音が発生する。発生した打撃音は、低剛性部５９が直接臨む共鳴空間５７において増幅される。また、打撃面１８が低剛性部５９に衝突すると、発振部５１がヒンジ状基端部５２を支点として上下方向に振動するので、この発振部５１の振動によっても打撃音が発生する。
【００３８】
＜実施形態３＞
次に、本発明を具体化した実施形態３を図１１，図１２を参照して説明する。本実施形態３のコネクタ３は、第２ハウジング６０に設けた発振部６１を上記実施形態２の発振部５１とは異なる構成としたものである。その他の構成については上記実施形態２と同じであるため、同じ構成については、同一符号を付し、構造、作用及び効果の説明は省略する。
【００３９】
上記実施形態２のコネクタ２では、下面壁５６（低剛性部５９）の左右両側縁が、左右両側面壁５３（高剛性部５８）の下端縁に繋がり、下面壁５６（低剛性部５９）の後端縁が、後面壁５５（高剛性部５８）の下端縁に繋がっていた。これに対し、本実施形態３のコネクタ３では、下面壁５６（低剛性部５９）の後端縁は後面壁５５（高剛性部５８）の下端縁に繋がっているが、下面壁５６（低剛性部５９）の左右両側縁は、左右両側面壁５３（高剛性部５８）の下端縁に繋がってはいない。
【００４０】
つまり、発振部６１には、高剛性部５８と低剛性部５９との境界に沿ったスリット６２が形成されている。このようなスリット６２を設けたことにより、低剛性部５９が、その後端縁を支点として上下に振動し易くなっている。したがって、ロックアーム１２の打撃面１８が低剛性部５９に衝突したときには、低剛性部５９が大きな振幅で振動するので、大きな打撃音を発生させることができる。
【００４１】
＜実施形態４＞
次に、本発明を具体化した実施形態４を図１３を参照して説明する。本実施形態４のコネクタ４は、第２ハウジング７０に設けた発振部７１を上記実施形態２の発振部５１とは異なる構成としたものである。その他の構成については上記実施形態２と同じであるため、同じ構成については、同一符号を付し、構造、作用及び効果の説明は省略する。
【００４２】
発振部７１は、左右一対の側面壁７２（本発明の構成要件である壁部）と、左右両側面壁７２の前端縁に略直角に繋がる前面壁７３（本発明の構成要件である壁部）と、左右両側面壁７２の後端縁に略直角に繋がる後面壁７４（本発明の構成要件である壁部）と、左右両側面壁７２の下端縁と前面壁７３の下端縁と後面壁７４の下端縁とに略直角に繋がる下面壁７５（本発明の構成要件である壁部）とから構成されている。そして、この左右両側面壁７２と前面壁７３と後面壁７４と下面壁７５とによって囲まれた空間が、共鳴空間７６となっている。共鳴空間７６は、発振部７１の上面側のみに開放されている。
【００４３】
ヒンジ状基端部５２は、後面壁７４の下端縁部に繋がっている。前後方向における発振部７１の形成領域は、両ハウジング４０，７０が正規嵌合した状態で、ロックアーム１２のうち操作部１５の前端側領域（打撃面１８）と対応する領域である。したがって、第１ハウジング４０を基準とする前後方向において、押し操作面１７における後端側領域（打撃面１８よりも後方の領域）は、発振部７１よりも後方へ露出するので、ロック解除操作が可能である。
【００４４】
発振部７１（共鳴空間７６）を構成する複数の壁部（側面壁７２、前面壁７３、後面壁７４、下面壁７５）のうち、左右両側面壁７２と前面壁７３と後面壁７４は、比較的壁厚寸法の大きい高剛性部７７となっている。また、残りの壁部である下面壁７５は、高剛性部７７よりも壁厚寸法が小さくて剛性の低い低剛性部７８となっている。低剛性部７８は高剛性部７７に比べて振動（弾性変形）し易くなっている。また、低剛性部７８は、発振部７１のうち打撃面１８が衝突する領域に配置されている。換言すると、発振部７１のうちを打撃面１８が衝突する領域のほぼ全体が、低剛性部７８（下面壁７５）となっている。
【００４５】
＜他の実施形態＞
本発明は上記記述及び図面によって説明した実施形態に限定されるものではなく、例えば次のような実施形態も本発明の技術的範囲に含まれる。
（１）上記実施形態１〜４では、低剛性部を、発振部のうちロックアームが直接、衝突する領域に配したが、低剛性部は、発振部のうちロックアームが直接、衝突しない領域に配してもよい。
（２）上記実施形態１では、高剛性部が、発振部の一方の端部から他方の端部に亘って連続する形態であったが、高剛性部は、発振部の一方の端部から他方の端部に至る領域のうちの一部のみに配されていてもよい。
（３）上記実施形態１では、発振部の両端部が第１ハウジングに繋がっていてロックアームをブリッジ状に跨ぐ形態となっているが、発振部は、ブリッジ状にロックアームを跨がない形態（片持ち状に延出する形態）でもよい。
（４）上記実施形態１，４において、実施形態３に記載した高剛性部と低剛性部との境界にスリットを形成する構成を適用してもよい。
（５）上記実施形態２，３，４では、発振部とフード部との境界部分に肉薄のヒンジ状基端部を形成し、発振部の全体がフード部に対して振動し易い形態となっているが、ヒンジ状基端部を形成せず、発振部の高剛性部がフード部に対して相対変位し難い形態としてもよい。
【符号の説明】
【００４６】
１…コネクタ
１０…第１ハウジング
１２…ロックアーム
２０…発振部
２１…共鳴空間
２２…側面壁（壁部）
２３…上面壁（壁部）
２４…前面壁（壁部）
２５…下面壁（壁部）
２６…高剛性部
２７…低剛性部
３０…第２ハウジング
２，３，４…コネクタ
４０…第１ハウジング
５０，６０，７０…第２ハウジング
５１，６１，７１…発振部
５３，７２…側面壁（壁部）
５４…上面壁（壁部）
５５，７４…後面壁（壁部）
５６，７５…下面壁（壁部）
５７，７６…共鳴空間
５８，７７…高剛性部
５９，７８…低剛性部
６２…スリット
７３…前面壁（壁部）
【図１】
2013125741.tif 000003
【図２】
2013125741.tif 000004
【図３】
2013125741.tif 000005
【図４】
2013125741.tif 000006
【図５】
2013125741.tif 000007
【図６】
2013125741.tif 000008
【図７】
2013125741.tif 000009
【図８】
2013125741.tif 000010
【図９】
2013125741.tif 000011
【図１０】
2013125741.tif 000012
【図１１】
2013125741.tif 000013
【図１２】
2013125741.tif 000014
【図１３】
2013125741.tif 000015